(57)【要約】【課題】下枠の内部底面に十分な排水勾配が設けられていなくても、下枠に浸入した水を確実に排水することができる浴室出入口建具枠の排水構造を提供すること。【解決手段】排水口２１Ａを通して下枠２０の内部と浴室とに跨って設けた排水部材４０と、表面張力で下枠の内部底面に滞留しようとする水の仮想滞留表面とが接しているので、下枠２０の内部に浸入した水が排水部材４０に沿って案内され、排水口２１Ａを通って浴室の床面上に排水される。従って、バリアフリータイプの浴室において、下枠２０の内部底面２２に十分な排水勾配を設けることが困難な場合であっても、下枠２０に浸入した水が内部底面２２に滞留することなく、この水を確実に排水し、下枠２０の内部を早く乾かすことができる。【選択図】  図３
2004257183.tif 000002
【特許請求の範囲】
【請求項１】
浴室出入口に設けられた建具枠のうちの下枠の内部に浸入した水を浴室側に排水する排水構造であって、
前記下枠の浴室側側面には、当該下枠の内部と浴室とを連通する排水口が穿設され、
表面張力により前記下枠の内部底面に滞留しようとする水の仮想滞留表面の一部に接する排水部材が、前記排水口を通して前記下枠の内部側と浴室側とに跨って設けられた浴室出入口建具枠の排水構造。
【請求項２】
浴室出入口に設けられた建具枠のうちの下枠の内部に浸入した水を浴室側に排水する排水構造であって、
前記下枠の浴室側側面には、当該下枠の内部と浴室とを連通する排水口が穿設され、
表面張力により前記下枠の内部底面に滞留しようとする水の仮想滞留表面の一部に接する排水部材が、前記排水口の浴室側に設けられた浴室出入口建具枠の排水構造。
【請求項３】
浴室出入口に設けられた建具枠のうちの下枠の内部に浸入した水を、当該下枠の下側または側方側に設けられた排水ドレンに排水する排水構造であって、
前記下枠には、当該下枠の内部と前記排水ドレンとを連通する排水口が穿設され、
表面張力により前記下枠の内部底面に滞留しようとする水の仮想滞留表面の一部に接する排水部材が、前記排水口の縁の少なくとも一部に接した状態で、前記下枠の内部側に設けられた浴室出入口建具枠の排水構造。
【請求項４】
前記排水部材の前記水の仮想滞留表面に接する部分には、投影面積に対して表面積を大きくする表面積拡大手段が設けられている請求項１ないし請求項３のいずれかに記載の浴室出入口建具枠の排水構造。
【請求項５】
前記表面積拡大手段は、前記排水部材の前記水の仮想滞留表面に接する部分に形成された孔である請求項４に記載の浴室出入口建具枠の排水構造。
【請求項６】
前記排水部材の前記水の仮想滞留表面に接する部分のうち、少なくとも一部が吸水性を有する材料から形成されている請求項１ないし請求項５のいずれかに記載の浴室出入口建具枠の排水構造。
【請求項７】
前記下枠の内部底面には、所定寸法を有する溝が形成されている請求項１ないし請求項６のいずれかに記載の浴室出入口建具枠の排水構造。
【請求項８】
前記建具枠には、見込み方向について浴室と反対側に引戸を収納する戸袋部が形成され、
前記下枠の内部底面には、見付け方向に沿った仕切板が立設され、この仕切板で前記下枠の内部が、前記戸袋部と連続して前記引戸を案内する引戸案内部と、この引戸案内部より浴室側の踏込み部とに仕切られており、
前記仕切板には、前記引戸案内部と前記踏込み部とを連通する連通孔が穿設されるとともに、表面張力により前記引戸案内部に滞留しようとする水の仮想滞留表面の一部に接する案内部材が設けられ、この案内部材で前記引戸案内部に浸入した水が前記踏込み部側へ案内される請求項１ないし請求項７のいずれかに記載の浴室出入口建具枠の排水構造。
【発明の詳細な説明】
【０００１】
【発明の属する技術分野】
本発明は、浴室出入口建具枠の排水構造に関する。詳しくは、浴室および脱衣室の床面と、これらの間を仕切る敷居としての建具下枠上面とがほぼフラットに形成されたバリアフリータイプの浴室における出入口建具枠のうち、下枠の内部に浸入した水を排水する排水構造に関する。
【０００２】
【背景技術】
バリアフリータイプの浴室における出入口下枠の排水構造が提案されている（例えば、特許文献１参照）。
特許文献１に記載の排水構造は、浴室の出入口に設けた引戸の敷居（下枠）において、下枠に流れ込んだ水を浴室の床面に排水するための排水構造である。この排水構造では、引戸を案内するレールが形成された敷居部材と、この敷居部材が上部に取り付けられた溝状（断面略コ字形）の敷居支持材とで中空状の下枠が形成されている。そして、下枠（敷居部材）の上面には、流れ込んだ水を下枠内部に落下させるための排水穴が設けられ、下枠（敷居支持材）の浴室側側壁には、下枠内部に落下した水を浴室に排水するための排水穴が設けられている。
このような排水構造によれば、下枠に流れ込んだ水を上面の排水穴を通して下枠内部に落下させ、さらに下枠側壁の排水穴から浴室の床面に排水することができる。
【０００３】
【特許文献１】
特開２００２−２５００６６号公報
【０００４】
【発明が解決しようとする課題】
しかしながら、特許文献１に記載の排水構造では、敷居支持材の上面（下枠の内部底面）が略水平に形成されているため、下枠内部に落下した水の一部が表面張力で下枠の内部底面に滞留し、側壁の排水穴から排水されないという不都合が生じる。これは、下枠の上面と浴室の床面との段差を極力小さくしたバリアフリータイプの浴室では、下枠の高さ寸法を大きくできないために、下枠の内部底面に十分な排水勾配を設けられないという制約により生じる不都合である。このため、十分な排水勾配が設けられていなくても、下枠の内部底面に浸入した水が滞留することなく、この水を確実に排水することができる排水構造が望まれている。
【０００５】
本発明の目的は、下枠の内部底面に十分な排水勾配が設けられていなくても、下枠に浸入した水を確実に排水することができる浴室出入口建具枠の排水構造を提供することにある。
【０００６】
【課題を解決するための手段】
本発明の浴室出入口建具枠の排水構造は、浴室出入口に設けられた建具枠のうちの下枠の内部に浸入した水を浴室側に排水する排水構造であって、前記下枠の浴室側側面には、当該下枠の内部と浴室とを連通する排水口が穿設され、表面張力により前記下枠の内部底面に滞留しようとする水の仮想滞留表面の一部に接する排水部材が、前記排水口を通して前記下枠の内部側と浴室側とに跨って設けられたことを特徴とする。
【０００７】
なお、ここで「表面張力により下枠の内部底面に滞留しようとする水の仮想滞留表面」とは、排水部材が設けられていない状態を仮定した場合に、排水口から排水されずに下枠の内部底面に滞留する水の表面張力によって形成される表面であって、排水部材を設けた場合には、この排水部材の作用で水が排水されるために形成されない仮想的な表面を意味する。また、仮想滞留表面の高さは、例えば、下枠が通常の表面処理を施されたアルミ型材製であれば、下枠の内部底面から約３ｍｍとなることが確認されている。
さらに、排水部材は、下枠の内部底面、排水口の下端縁、および浴室の床面のうちの少なくとも１つと接触して設けられていてもよく、また、いずれとも接触せず所定距離（例えば、仮想滞留表面の高さ以下）だけ離れて設けられていてもよい。また、排水部材を下枠の内部および浴室に跨った一体の部材から構成してもよく、下枠の内部側と浴室側とで別部材として排水部材を構成し、各々の部材を接触させ、または所定距離だけ離して配置してもよい。
【０００８】
このような本発明によれば、排水口を通して下枠の内部と浴室とに跨って設けた排水部材と、表面張力で下枠の内部底面に滞留しようとする水の仮想滞留表面とが接しているので、下枠内部に浸入した水が排水部材に沿って案内され、排水口を通って浴室の床面上に排水される。従って、バリアフリータイプの浴室において、下枠の内部底面に十分な排水勾配を設けることが困難な場合であっても、下枠に浸入した水が内部底面に滞留することなく、この水を確実に排水することができる。
【０００９】
また、本発明の浴室出入口建具枠の排水構造は、浴室出入口に設けられた建具枠のうちの下枠の内部に浸入した水を浴室側に排水する排水構造であって、前記下枠の浴室側側面には、当該下枠の内部と浴室とを連通する排水口が穿設され、表面張力により前記下枠の内部底面に滞留しようとする水の仮想滞留表面の一部に接する排水部材が、前記排水口の浴室側に設けられた構成が採用できる。
【００１０】
なお、ここで、排水部材は排水口の下端縁に接触して設けられてもよく、また、所定距離（例えば、仮想滞留表面と排水口の下端縁との関係から設定される距離以下）だけ排水部材と排水口の下端縁とが離れていてもよい。
【００１１】
このような本発明によれば、排水口の浴室側に設けた排水部材と、表面張力で下枠の内部底面に滞留しようとする水の仮想滞留表面とが接しているので、下枠内部に浸入した水が、この水自体の表面張力で排水部材に引っ張られて、浴室側に排水される。従って、下枠の外側（浴室側）に設けた排水部材により排水流路が形成されるので、下枠内部に浸入した水を確実に排水することができる。
【００１２】
また、本発明の浴室出入口建具枠の排水構造は、浴室出入口に設けられた建具枠のうちの下枠の内部に浸入した水を、当該下枠の下側または側方側に設けられた排水ドレンに排水する排水構造であって、前記下枠には、当該下枠の内部と前記排水ドレンとを連通する排水口が穿設され、表面張力により前記下枠の内部底面に滞留しようとする水の仮想滞留表面の一部に接する排水部材が、前記排水口の縁の少なくとも一部に接した状態で、前記下枠の内部側に設けられた構成が採用できる。
このような本発明によれば、排水ドレンが接続された排水口の下枠内部側で、排水口の縁と接するように設けた排水部材と、表面張力で下枠の内部底面に滞留しようとする水の仮想滞留表面とが接しているので、下枠内部に浸入した水が、この水自体の表面張力で排水部材に引っ張られて、排水口まで案内される。従って、排水口に集水された水を排水ドレンに確実に排水することができる。
【００１３】
さらに、本発明の浴室出入口建具枠の排水構造では、前記排水部材の前記水の仮想滞留表面に接する部分には、投影面積に対して表面積を大きくする表面積拡大手段が設けられていることを特徴とする。
なお、ここで「投影面積に対して表面積を大きくする表面積拡大手段」としては、例えば、排水部材の表面に形成された凹凸や溝、排水部材に設けられた孔やリブ等が採用でき、また排水部材をメッシュ状の材料から形成したり、メッシュ状の部材を取り付けて形成すること等も表面積拡大手段に含まれる。
このような構成では、水の仮想滞留表面に接する部分の投影面積に対して表面積を大きくすることができるので、排水部材の親水性が高まり、下枠の内部底面に滞留しようとする水の表面張力に抵抗して水をより強く引き寄せることができ、さらに排水効率を向上させることができる。
【００１４】
この際、本発明の浴室出入口建具枠の排水構造では、前記表面積拡大手段は、前記排水部材の前記水の仮想滞留表面に接する部分に形成された孔であることを特徴とする。
このような構成では、水の仮想滞留表面に接する部分に孔を設けるだけの簡単な加工で、当該部分の表面積を大きくすることができるので、排水効率のよい排水部材を簡単に製造することができる。
【００１５】
また、本発明の浴室出入口建具枠の排水構造では、前記排水部材の前記水の仮想滞留表面に接する部分のうち、少なくとも一部が吸水性を有する材料から形成されていることを特徴とする。
なお、ここで「吸水性を有する材料」としては、スポンジ等の海綿状の材料や多孔質材料等が含まれる。
このような構成では、排水部材のうち吸水性を有する材料から形成された部分が水の仮想滞留表面に接するので、水を引き寄せる力がさらに強くなり、排水性能をより高めることができる。
【００１６】
さらに、本発明の浴室出入口建具枠の排水構造では、前記下枠の内部底面には、所定寸法を有する溝が形成されていることを特徴とする。
なお、ここで、溝は１本でも複数本でもよく、また、溝の「所定寸法」としては、溝の幅、深さ、および複数本の場合、溝同士のピッチが、滞留しようとする水の表面張力を壊して所定の方向に案内することができるように構成されたものが採用できる。
このような構成では、下枠の内部底面に溝を形成することで、表面張力により滞留しようとする水が溝に沿って案内され、滞留しにくくなる。従って、下枠内部底面の溝を所定の方向、例えば、下枠の部材延出方向（見付け方向）や見込み方向、排水口に向かう方向等に沿って形成することで、より効果的に下枠内部の水を排出できるようになる。
【００１７】
また、本発明の浴室出入口建具枠の排水構造では、前記建具枠には、見込み方向について浴室と反対側に引戸を収納する戸袋部が形成され、前記下枠の内部底面には、見付け方向に沿った仕切板が立設され、この仕切板で前記下枠の内部が、前記戸袋部と連続して前記引戸を案内する引戸案内部と、この引戸案内部より浴室側の踏込み部とに仕切られており、前記仕切板には、前記引戸案内部と前記踏込み部とを連通する連通孔が穿設されるとともに、表面張力により前記引戸案内部に滞留しようとする水の仮想滞留表面の一部に接する案内部材が設けられ、この案内部材で前記引戸案内部に浸入した水が前記踏込み部側へ案内されることを特徴とする。
【００１８】
このような構成では、浴室出入口の戸として片引戸や連動二枚引戸等の開放時において戸袋に引き込まれて収納される引戸を採用した場合に、この引戸を案内するレール等を有した下枠の引戸案内部や、この引戸案内部に連続する戸袋部の下枠に浸入した水を、踏込み部を介して浴室側に排水することができる。すなわち、下枠の引戸案内部と踏込み部との間には、通常、引戸案内部側に容易に水を浸入させないために仕切板が設けられ、この仕切板に引戸と当接するシール材等が取り付けられている。しかし、引戸とシール材との隙間や、引戸開放時の引戸と縦枠との隙間などから引戸案内部や戸袋側に水が浸入し、浸入した水が滞留することがある。このように引戸案内部に滞留しようとする水を、仕切板に穿設された連通孔を通して踏込み部側へ案内部材で案内するとともに、踏込み部から排水口を通して排水部材で浴室の床面上に排水することが可能となる。
【００１９】
【発明の実施の形態】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、建具枠等、主要構成部品の断面を示すハッチングが省略されている。
【００２０】
〔第１実施形態〕
本発明の第１実施形態に係る浴室出入口建具枠の排水構造について、図１ないし図７に基づいて説明する。
図１、図２は、本実施形態の排水構造が設けられた浴室出入口１を示す縦断面図、および横断面図である。図３は、図１の要部を拡大して示す縦断面図である。図４は、浴室出入口１に設けられた建具枠１０の一部を拡大して示す斜視図である。
【００２１】
本実施形態の浴室出入口１は、浴室の床面５Ａおよび脱衣室の床面２Ａと、建具枠１０の敷居（下枠２０）の上面とが、例えば、段差が３ｍｍ以下のほぼフラットに形成された、いわゆるバリアフリータイプの浴室に設置されている。この浴室は、浴槽（不図示）や浴室床５、壁６、天井７等がＦＲＰ（Ｆｉｂｅｒ−Ｒｅｉｎｆｏｒｃｅｄ  Ｐｌａｓｔｉｃｓ  ：繊維強化プラスチック）等から一体に形成され、あるいは別体で製造した部材を組み合わせてユニット化されたもので、図示しない躯体上に載置されている。そして、浴室床５の床面５Ａには、図示しない排水ドレンに向かって所定の排水勾配が設けられており、床面５Ａ上の水が排水ドレン方向に流れて排水されるようになっている。
【００２２】
浴室出入口１は、片引戸形式の出入口であって、それぞれアルミの押出形材製の上枠１１、縦枠１２，１３、および下枠２０を四周枠組みして形成された建具枠１０と、この建具枠１０内に開閉自在に設けられた引戸３０とを備えて構成されている。建具枠１０は、脱衣室側において、脱衣室の床材２にアングル材２Ｂを介して下枠２０が、額縁材３に上枠１１および縦枠１２，１３が、それぞれビス止め固定され、浴室側において、浴室床５の端部に形成された支持部５Ｂに下枠２０が支持されている。
【００２３】
建具枠１０の上枠１１は、脱衣室側上枠１１Ａおよび浴室側上枠１１Ｂの２つの部材から構成されており、脱衣室側上枠１１Ａには、引戸３０を案内する上レール１１Ｃが形成され、浴室側上枠１１Ｂには、浴室の天井７の端部が係合されている。
縦枠１２，１３は、図２に示すように、脱衣室側縦枠１２Ａおよび浴室側縦枠１２Ｂの２つの部材から構成されており、これらの脱衣室側縦枠１２Ａおよび浴室側縦枠１２Ｂは、それぞれ建具枠１０の見付け方向（図２中、左右方向）について異なる位置に立設されている。すなわち、浴室側縦枠１２Ｂは、建具枠１０の見付け方向中間部で引戸３０の寸法に対応した位置に設けられており、この浴室側縦枠１２Ｂと脱衣室側縦枠１２Ａとの間には、袖パネル１２Ｃが嵌め込まれている。そして、袖パネル１２Ｃの脱衣室側には、引戸３０開放時（図２中、二点鎖線で示す）において引戸３０を収納する戸袋部１４が形成されている。
【００２４】
建具枠１０の下枠２０は、図３、４に示すように、見込み方向（図３中、左右方向）について一体で、上方に開口した浅溝状に形成され、浴室側側面としての側壁２１が浴室床５の端部と密接されている。そして、下枠２０の内部底面（浅溝状に形成された内側の底面）２２には、浴室側に向かって緩やかな下り傾斜が設けられるとともに、見付け方向に沿った複数の溝２２Ａが形成され、下枠２０の内部に浸入した水をこの溝２２Ａに沿って案内できるようになっている。具体的には、溝２２Ａは、所定の半径寸法（例えば、０．３〜０．６ｍｍ）を有し、下向きに凸な断面略半円形状に形成され、また、溝２２Ａ同士の間隔は、略２．０ｍｍに設定されている。すなわち、内部底面２２において、表面張力により水玉状に滞留しようとする水の平面方向の大きさとして、小さい場合で３〜５ｍｍの直径になることが確認されており、この水の大きさよりも小さいピッチとなるように溝２２Ａが形成されている。
さらに、下枠２０の内部底面２２には、見付け方向に沿って連続する仕切板２３が立設されており、この仕切板２３によって下枠２０の内部が、脱衣室側の引戸案内部２４と浴室側の踏込み部２５とに仕切られている。
【００２５】
引戸案内部２４は、戸袋部１４まで連続した溝状に形成されており、引戸案内部２４の底面には、引戸３０を案内する下レール２４Ａが立設されている。踏込み部２５の上側には、上面が略フラットに形成されたカバー材２６が取り付けられている。このカバー材２６は、合成樹脂製またはアルミ製で、下枠２０の側壁２１と仕切板２３との間に架け渡され、適宜な係止手段によって着脱自在に下枠２０に係止されている。従って、下枠２０は、内部底面２２、側壁２１、仕切板２３、およびカバー材２６によって形成される中空状の内部空間（踏込み部２５）を備えていることとなる。
【００２６】
引戸３０は、それぞれアルミの押出形材製の上框３１、下框３２、および左右の縦框３３を四周枠組みした矩形状の枠体内に、ガラス面材３４を嵌め込んで形成されている。上框３１は、脱衣室側上枠１１Ａに沿って摺動可能となるように上レール１１Ｃと係合する摺動溝３１Ａを有し、下框３２は、下枠２０の下レール２４Ａに沿って転動する戸車３２Ａを有しており、引戸３０が建具枠１０内で開閉自在に支持されている。また、下框３２には、上方に突出した突片と下方に開口した凹状片とからなり、浴室内で使用する水を通過不能にするとともに、浴室および脱衣室間を通気可能とする複数（本実施形態では、３箇所）の通気口３２Ｂが形成されている。左右の縦框３３のうち、一方（図２中、左側）の縦框３３には、引戸３０を開閉する際に手で掴むハンドル３３Ａが、浴室側および脱衣室側双方に突出して取り付けられている。
【００２７】
建具枠１０と引戸３０との間の止水材として、建具枠１０には、上枠１１、縦枠１２，１３、および下枠２０に沿ったシール材１１Ｄ，１２Ｄ，１３Ａ，２３Ａが設けられている。すなわち、上枠１１の脱衣室側上枠１１Ａには、上框３１に当接するシール材１１Ｄ（図１）が、浴室側縦枠１２Ｂおよび縦枠１３には、縦框３３に当接するシール材１２Ｄ，１３Ａ（図２）が、それぞれ設けられ、浴室で使用する水が脱衣室側に漏れ出さないようになっている。また、図３に示すように、下枠２０の仕切板２３の上部には、引戸３０側に開口した凹溝に嵌め込まれ引戸３０に当接するシール材２３Ａが設けられ、浴室の水が容易に引戸案内部２４に浸入しないようになっている。
【００２８】
以下には、浴室出入口１の建具枠１０での排水構造について図５〜図７をも参照して説明する。
図５（Ａ），（Ｂ）は、排水部材４０の設置状態を示す断面図である。図６、図７は、排水部材４０を示す上方からの斜視図、および下方からの斜視図である。
【００２９】
本実施形態の排水構造は、下枠２０の側壁２１に穿設され、下枠２０の内部と浴室とを連通する排水口２１Ａと、この排水口２１Ａを通して下枠２０の内部側と浴室側とに跨って設置された排水部材４０とを備えて構成されている。さらに、この排水構造では、下枠２０の仕切板２３に引戸案内部２４と踏込み部２５とを連通する連通孔２３Ｂが穿設されるとともに、この連通孔２３Ｂを通して案内部材４０Ａが設置されている。これらの排水部材４０および案内部材４０Ａは、建具枠１０の開口幅（浴室側縦枠１２Ｂと縦枠１３との水平間隔）について、その中間位置に１箇所ずつ設置されている（図２）。
排水口２１Ａおよび連通孔２３Ｂは、ともに略矩形状の開口で、その下端縁が下枠２０の内部底面２２と略同一高さとなるように形成されている。
なお、排水部材４０および案内部材４０Ａは、それぞれ１箇所ずつに限らず、建具枠１０の開口幅について２箇所以上の複数箇所に設置されていてもよい。
【００３０】
排水部材４０の設置位置に対応する浴室床５には、浴室出入口１から排水勾配下流側に延びる排水溝５Ｃが形成されている。この排水溝５Ｃは、下枠２０の側壁２１に接する位置において内部底面２２と略同一高さに形成され、また、排水勾配下流の図示しない排水ドレンに向かって所定の下り勾配を有しており、排水溝５Ｃに流れ込んだ水が排水ドレン方向に流れて排水されるようになっている。
なお、、排水溝５Ｃは、下枠２０の内部底面２２と略同一高さに形成されるものに限らず、内部底面２２よりも低く形成されていてもよい。
【００３１】
排水部材４０は、図５に示すように、下枠２０の内部に浸入し表面張力により内部底面２２に滞留しようとする水の仮想滞留表面Ｓ（図５中、二点鎖線で示す）の一部に接して設置されている。この仮想滞留表面Ｓの内部底面２２からの高さ寸法Ｈは、下枠２０がアルミ型材製の本実施形態においては、３ｍｍ程度となることが確認されている。そして、図５（Ａ）に示すように、排水部材４０の底部は下枠２０の内部底面２２および排水溝５Ｃの底面に接触していてもよく、また、図５（Ｂ）に示すように、排水部材４０の底部と内部底面２２とが所定距離だけ離されていてもよい。この所定距離としては、排水部材４０が仮想滞留表面Ｓに接する範囲、すなわち仮想滞留表面Ｓの高さ寸法Ｈ以下の範囲で適宜設定可能である。
なお、図示を省略するが、下枠２０の仕切板２３に穿設された連通孔２３Ｂにおいても、上記した排水部材４０と同様に、案内部材４０Ａは、引戸案内部２４と踏込み部２５とに跨り、かつ引戸案内部２４に滞留しようとする水の仮想滞留表面の一部に接して設置されている。
【００３２】
排水部材４０は、図６、７に示すように、合成樹脂製の一体成型部材であって、平面略矩形板状の本体部４１と、この本体部４１の下面から下方に延出する第１、第２延出部４２，４３、および支持部４４と、本体部４１の端縁から上方に延出する係止部４５とを備えている。
本体部４１には、板厚方向に貫通する複数の孔４１Ａが穿設されており、これらの孔４１Ａにより表面積拡大手段が構成され、排水部材４０の水平投影面積に対する表面積が拡大されている。
なお、排水部材４０の表面積拡大手段としては、孔４１Ａに限らず、排水部材４０の表面に形成した凹凸や溝、リブ等でもよく、また、排水部材をメッシュ状の材料から形成したり、メッシュ状の部材を取り付けて形成すること等も表面積拡大手段に含まれる。
【００３３】
第１延出部４２は、本体部４１下面の２箇所に設けられており、各々の第１延出部４２の下部には、円弧状の切欠き部４２Ａが２箇所ずつ設けられている。これらの切欠き部４２Ａによっても、排水部材４０の表面積が拡大されている。また、第１延出部４２に沿った本体部４１には切込み４１Ｂが形成され、第１延出部４２の一端側のみが本体部４１と連結され、他端側には、排水口２１Ａの側端縁に係合可能な鍵形の係合フック４２Ｂが形成されている。
第２延出部４３は、本体部４１下面の略中央１箇所に設けられており、その下部には、図５に示すように、浴室側に下がる方向に傾斜した傾斜面部４３Ａが形成されている。
係止部４５は、２本の立上部４５Ａと、これらの立上部４５Ａの上端同士を連結し、排水口２１Ａに設置した状態において側壁２１の外側面に当接する当接部４５Ｂとから形成されている。
なお、案内部材４０Ａは、上記した排水部材４０とほぼ同様の構造を有しているが、案内部材４０Ａには係止部４５が形成されておらず、この点で案内部材４０Ａは排水部材４０と相違している。
【００３４】
このような排水部材４０の排水口２１Ａへの設置手順としては、先ず、下枠２０の内側である踏込み部２５側から、本体部４１を立てた状態で係止部４５を排水口２１Ａに挿通する。これに続いて、本体部４１を水平状態になるように回動させ、第１延出部４２を撓ませながら係合フック４２Ｂを排水口２１Ａに挿通し、排水口２１Ａの両側端縁に係合させる。これにより、本体部４１の浴室側端縁と、係合フック４２Ｂおよび当接部４５Ｂとで、下枠２０の側壁２１が挟持され、排水部材４０が排水口２１Ａに取り付けられることとなる。排水部材４０を取り外す場合は、上記した手順を逆に実施すればよく、すなわち、第１延出部４２を撓ませながら係合フック４２Ｂを排水口２１Ａから外すことで、係止部４５が排水口２１Ａから抜け、排水部材４０が排水口２１Ａから取り外されることとなる。
【００３５】
以上のような構成を備える本実施形態の排水構造では、カバー材２６と下枠２０との間から下枠２０の内部である踏込み部２５に浸入した水は、その量が多ければ水自体の水圧によって排水口２１Ａから浴室側の排水溝５Ｃに排水される。
そして、大半の水が排水され、水自体の水圧では排水できない程度まで水の量が少なくなった状態において、表面張力により内部底面２２に滞留しようとする水は、その仮想滞留表面Ｓに排水部材４０が接していることで、この排水部材４０に案内されて排水口２１Ａから排水されることとなる。この際、排水部材４０から見付け方向に離れた位置の水であっても、下枠２０の内部底面２２に形成された溝２２Ａに案内されて、排水部材４０まで到達し、排水部材４０に案内されて排水口２１Ａから排水される。
【００３６】
また、下枠２０の仕切板２３と引戸３０の下框３２との間に設けられたシール材２３Ａの隙間や、引戸３０を開放した際の縦枠１３と縦框３３との隙間などから、引戸案内部２４や戸袋部１４の内部に浸入した水は、その仮想滞留表面に案内部材４０Ａが接していることで、この案内部材４０Ａに案内されて連通孔２３Ｂから踏込み部２５側へ導出される。そして、踏込み部２５から浴室側へは、上述の通り、排水部材４０に案内され、排水口２１Ａから排水される。
以上のように、下枠２０の内部から浴室側の排水溝５Ｃに排水された水は、排水溝５Ｃを通って、浴室床５の水勾配下流側に設けられた排水ドレンから浴室外に排水されることとなる。
【００３７】
このような本実施形態によれば、以下のような効果がある。
（１）  下枠２０の内部に浸入した水が排水部材４０に沿って案内され、排水口２１Ａを通って浴室側に排水されるので、バリアフリータイプの浴室において、下枠２０の内部底面２２に十分な排水勾配を設けることが困難な場合であっても、下枠２０に浸入した水が内部底面２２に滞留することなく、この水を確実に排水し、下枠２０の内部を早く乾かすことができる。
【００３８】
（２）  また、下枠２０の引戸案内部２４や戸袋部１４に浸入した水が、案内部材４０Ａで案内されて、仕切板２３の連通孔２３Ｂを通して踏込み部２５側へ導出され、さらに踏込み部２５から排水部材４０で浴室側に排水できるので、引戸案内部２４や戸袋部１４に水が滞留することなく、確実に排水することができる。
【００３９】
（３）  さらに、下枠２０の内部底面２２に溝２２Ａを形成したことにより、滞留しようとする水の表面張力を壊して、この水を溝２２Ａに沿って案内することができるので、水が滞留しにくくなるとともに、排水部材４０や案内部材４０Ａから見付け方向に離れた位置の水であっても、溝２２Ａに沿って案内して排水できるので、より効果的に下枠２０内部の水を排出できるようになる。
【００４０】
（４）  また、排水部材４０や案内部材４０Ａを外形寸法に対して表面積が大きくなるように形成したので、これらの部材の親水性が高まり、下枠２０の内部底面２２に滞留しようとする水の表面張力を壊して水をより強く引き寄せることができ、さらに排水効率を向上させることができる。
【００４１】
（５）  さらに、排水部材４０や案内部材４０Ａが係合フック４２Ｂで排水口２１Ａや連通孔２３Ｂの側端縁に係合することで、これらの部材が排水口２１Ａや連通孔２３Ｂから不用意に外れることがなく、取り付け状態を確実に維持することができる。また、排水部材４０に係止部４５を設け、この係止部４５の当接部４５Ｂおよび係合フック４２Ｂと本体部４１の浴室側端縁とで下枠２０の側壁２１を挟持することで、さらに確実に排水部材４０を取り付けることができる。
【００４２】
（６）  そして、排水部材４０の第２延出部の下部に浴室側に下がる方向に傾斜した傾斜面部４３Ａを形成したことで、下枠２０の内部底面２２に滞留しようとする水を浴室側に効果的に案内することができ、より一層の排水効率の向上を図ることができる。
【００４３】
〔第２実施形態〕
次に、本発明の第２実施形態に係る浴室出入口建具枠の排水構造について、図８ないし図１０に基づいて説明する。
図８は、本実施形態の排水構造が設けられた浴室出入口１の要部を拡大して示す縦断面図である。図９（Ａ），（Ｂ）は、排水部材５０の設置状態を示す断面図である。図１０（Ａ）〜（Ｃ）は、排水部材５０を示す正面図、側面図、および底面図である。
本実施形態の排水構造は、前述の第１実施形態と比較して、排水部材４０に換えて排水部材５０を設置した点のみが相違し、それ以外の、浴室床５や建具枠１０、下枠２０、引戸３０等の構成は共通である。以下、相違点について詳しく説明する。
【００４４】
図８ないし図１０において、排水部材５０は、下枠２０の側壁２１に穿設された排水口２１Ａの浴室側（下枠２０の外側）で、かつ、下枠２０の内部に浸入し表面張力により内部底面２２に滞留しようとする水の仮想滞留表面Ｓ（図９中、二点鎖線で示す）の一部に接して設置されている。この際、図９（Ａ）に示すように、排水部材５０の底部が浴室床５の排水溝５Ｃの底面に接触していてもよく、また、図９（Ｂ）に示すように、排水部材５０の底部と排水溝５Ｃの底面とが所定距離だけ離されていてもよい。この所定距離としては、排水部材４０が仮想滞留表面Ｓに接する範囲で適宜設定可能である。
【００４５】
排水部材５０は、図１０に示すように、合成樹脂製の一体成型部材であって、平面略矩形板状の本体部５１と、この本体部５１の下面から下方に延出する第１、第２延出部５２，５３と、本体部４１の端縁から上方に突出する係止部５５とを備えている。また、本体部４１の下面で、排水口２１Ａに設置した状態において側壁２１の外側面に対向する正面側（図１０（Ｂ），（Ｃ）中、右側）には、排水部材５０の一つの下端縁を構成するスポンジ５４が固定されている。このスポンジ５４を固定したことにより、排水部材５０における水の仮想滞留表面Ｓと接する部分が、吸水性を有する材料から形成されていることとなる。
なお、吸水性を有する材料としては、スポンジ５４に限らず、その他の海綿状の材料や多孔質材料等が採用できる。
【００４６】
第１延出部５２は、本体部５１の両側端縁２箇所に設けられており、各々の第１延出部５２の下部には、円弧状の切欠き部５２Ａが２箇所ずつ設けられている。
第２延出部５３は、本体部５１下面の略中央１箇所で、正面側がスポンジ５４に対応した位置で切断されている。
係止部５５は、本体部５１の両側端縁２箇所に設けられており、この係止部５５の先端側、すなわち本体部５１の正面側端縁よりも突出した位置には係合フック５５Ａが形成されている。この係合フック５５Ａに対応した下枠２０の側壁２１には、係合孔２１Ｂが穿設されており、係合フック５５Ａを係合孔２１Ｂに係合することで、排水部材５０が側壁２１に取り付けられるようになっている。
また、排水部材５０の両側面には、排水口２１Ａに設置した状態において側壁２１の外側面に当接する当接部５１Ａが設けられている。
【００４７】
このような排水部材５０の排水口２１Ａへの設置手順としては、先ず、浴室側から、係止部５５の係合フック５５Ａを係合孔２１Ｂに挿通し、係合させる。これにより、係合フック５５Ａと当接部５１Ａとで、下枠２０の側壁２１が挟持され、排水部材５０が排水口２１Ａの浴室側に取り付けられることとなる。排水部材５０を取り外す場合は、２つの係止部５５を互いに近接する方向に撓ませて、係合フック５５Ａを係合孔２１Ｂから外すことで、排水部材５０が取り外されることとなる。
【００４８】
以上のような構成を備える本実施形態の排水構造では、下枠２０の内部である踏込み部２５に浸入し、水自体の水圧では排水されず表面張力により内部底面２２に滞留しようとする水は、その仮想滞留表面Ｓに接する排水部材５０に引っ張られて排水口２１Ａから浴室床５の排水溝５Ｃに排水されることとなる。この際、スポンジ５４の有する吸水性によって、水がより強く引き寄せられるようになっている。そして、下枠２０の内部から浴室側の排水溝５Ｃに排水された水は、排水溝５Ｃを通って、浴室床５の水勾配下流側に設けられた排水ドレンから浴室外に排水されることとなる。
【００４９】
このような本実施形態によれば、前述の（１）〜（３）の効果に加えて次のような効果がある。
（７）  すなわち、排水部材５０を下枠２０の浴室側に設置したので、カバー材２６を取り外さなくても、排水部材５０の取り付け、または取り外しを実施でき、これらの作業にかかる作業性を向上させることができる。
【００５０】
（８）  また、排水部材５０の一部を吸水性を有するスポンジ５４で形成したので、水を引き寄せる力が強くなり、排水性能をより高めることができる。
【００５１】
（９）  さらに、係合フック５５Ａが側壁２１の係合孔２１Ｂに係合することで、排水部材５０が排水口２１Ａから不用意に外れることがなく、取り付け状態を確実に維持することができる。また、排水部材５０の当接部５１Ａおよび係合フック５５Ａで下枠２０の側壁２１を挟持することで、さらに確実に排水部材５０を取り付けることができる。
【００５２】
〔第３実施形態〕
次に、本発明の第３実施形態に係る浴室出入口建具枠の排水構造について、図１１ないし図１３に基づいて説明する。
図１１、図１２は、本実施形態の排水構造が設けられた浴室出入口１を示す縦断面図、および横断面図である。図１３は、図１１の要部を拡大して示す縦断面図である。
本実施形態の排水構造は、前述の第１実施形態では片引戸形式の浴室出入口１に設けられていたのと比較し、三連引戸形式の浴室出入口１に設けられる点が相違するもので、その他の構成は第１実施形態の場合と略同一である。以下、相違点について詳しく説明する。
【００５３】
図１１ないし図１３において、浴室出入口１は、三連引戸形式、すなわち、建具枠６０に支持され、互いに連動して開閉する２枚の戸７０および固定された１枚の戸７０Ａから構成される出入口である。
建具枠６０は、それぞれアルミの押出形材製の上枠６１、左右の縦枠６２，６３、および下枠６４を四周枠組みして形成されており、上枠６１には、戸７０，７０Ａを案内する上レール６１Ａが形成されている。下枠６４は、図１３に示すように、上方に開口した浅溝状に形成され、その上側に上面に３本の下レール６５Ａが形成されたレール部材６５が取り付けられている。このレール部材６５は、アルミの押出形材製または合成樹脂製で、下枠６４の側壁６４Ｂと脱衣室側の内部底面６４Ａとの間に架け渡され、適宜な係止手段によって着脱自在に下枠６４に係止されている。従って、下枠６４は、内部底面６４Ａ、浴室側の側壁６４Ｂ、およびレール部材６５によって形成される中空状の内部空間６４Ｃを備えていることとなる。さらに、内部底面６４Ａには、前述の第１実施形態と同様に浴室側に向かって緩やかな下り傾斜が設けられるとともに、複数の溝６４Ｅが見付け方向に沿って形成されている。
【００５４】
３枚の戸７０，７０Ａは、それぞれアルミの押出形材製の上框７１、下框７２、および左右の縦框７３を四周枠組みした矩形状の枠体内に、ガラス面材７４を嵌め込んで形成されている。上框７１および下框７２は、上枠６１の上レール６１Ａおよびレール部材６５の下レール６５Ａに摺動自在に係合し、戸７０，７０Ａが建具枠６０内で開閉自在になっている。ただし、戸７０Ａについては、縦框７３が縦枠６２に固定されており、開閉移動しないようになっている。そして、２枚の戸７０のうち、一方（図１２中、左側）の戸７０の縦框７３には、ハンドル７３Ａが取り付けられている。以上のような３枚の戸７０，７０Ａは、互いに図示しない連動機構を介して連結されており、図１２中、左側の戸７０を開くことで、２枚の戸７０が、戸７０Ａに対して相対的に移動して、３枚の戸７０，７０Ａがほぼ重なる位置まで開放されるようになっている。
【００５５】
本実施形態の排水構造は、下枠６４の浴室側の側壁６４Ｂに穿設され、下枠６４の内部空間６４Ｃと浴室とを連通する排水口６４Ｄと、この排水口６４Ｄを通して内部空間６４Ｃと浴室側とに跨って設置された排水部材４０とを備えて構成されている。この排水部材４０は、前述の第１実施形態と同様に、下枠６４の内部空間６４Ｃに浸入し表面張力により内部底面６４Ａに滞留しようとする水の仮想滞留表面（不図示）の一部に接して設置されている。
なお、排水部材４０は、前述の第１実施形態と同様の部材である。また、本実施形態では、第１実施形態の下枠２０に設けられた仕切板２３や、この仕切板２３に設置された案内部材４０Ａ等は設けられていない。
【００５６】
以上のような構成を備える本実施形態の排水構造では、レール部材６５と下枠６４との間から内部空間６４Ｃに浸入し、水自体の水圧では排水されず表面張力により内部底面６４Ａに滞留しようとする水は、その仮想滞留表面に排水部材４０が接していることで、この排水部材４０に案内されて排水口６４Ｄから排水される。そして、浴室側の排水溝５Ｃに排水された水は、排水溝５Ｃを通って、浴室床５の水勾配下流側に設けられた排水ドレンから浴室外に排水されることとなる。
【００５７】
このような本実施形態によれば、前述の（１）、（３）〜（６）の効果と略同一の効果を得ることができる。
【００５８】
〔第４実施形態〕
次に、本発明の第４実施形態に係る浴室出入口建具枠の排水構造について、図１４ないし図１６に基づいて説明する。
図１４は、本実施形態の排水構造が設けられた浴室出入口の要部を拡大して示す縦断面図である。図１５は、浴室出入口の下枠６６の一部を拡大して示す平面図である。図１６（Ａ）〜（Ｃ）は、排水部材９０を示す正面図、底面図、および側面図である。なお、図１４は、図１５に示す矢視Ａ−Ａ線断面図であり、図１６（Ｃ）中、左側が排水部材９０の上面側となっている。
本実施形態の排水構造は、前述の第３実施形態と同様に、三連引戸形式の浴室出入口１に設けられたもので、建具枠６０および戸７０，７０Ａの構成は第３実施形態の場合と共通する。そして、本実施形態では、下枠６６の内部の水を排水する排水方向が、前述の各実施形態と相違する。以下、相違点について詳しく説明する。
【００５９】
図１４ないし図１６において、建具枠６０の下枠６６は、上方に開口して形成され、その上側にレール部材６５が取り付けられ、内部空間６６Ｃが形成されている。下枠６６の内部底面は、脱衣室側の上側底面６６Ａと、浴室側の下側底面６６Ｂとの二段に形成されている。上側底面６６Ａは、脱衣室側から浴室側に向かって下がる傾斜を有しており、この上側底面６６Ａ上の水が下側底面６６Ｂに流れ落ちるようになっている。下側底面６６Ｂは、略水平になっており、この下側底面６６Ｂには、複数の溝６６Ｅが見付け方向に沿って形成されている。また、下側底面６６Ｂの見付け方向途中おける適宜な位置には、排水口６６Ｄが穿設されており、この排水口６６Ｄの下側に排水ドレン８が接続されている。この排水ドレン８は、図中下方に延びて、図示しない排水管に接続されている。
なお、下側底面６６Ｂは、浴室側に限らず、脱衣室側に設けられていてもよく、この場合、上側底面の傾斜が脱衣室側に向かって下がるように下枠を形成すればよい。また、排水口６６Ｄを設ける位置は、下側底面６６Ｂの見付け方向途中に限らず、下枠６６の端部である縦枠との接続位置でもよい。
【００６０】
下枠６６の排水口６６Ｄの上側には、排水口６６Ｄを覆う大きさを有し、排水口６６Ｄの縁に接する排水部材９０が設置されている。この排水部材９０は、合成樹脂製の一体成型部材で、排水口６６Ｄへのゴミ等の流入を防止するヘアキャッチャーを兼用している。そして、排水部材９０は、図１６に示すように、平面略矩形板状の本体部９１と、この本体部９１の下面から下方に延出する５つの延出部９２とを備えている。本体部９１には、板厚方向に貫通する複数の孔９１Ａが穿設されている。また、５つの延出部９２の下部には、それぞれ円弧状の切欠き部９２Ａが９箇所ずつ設けられている。これらの孔９１Ａおよび切欠き部９２Ａにより表面積拡大手段が構成され、排水部材９０の水平または垂直投影面積に対する表面積が拡大されている。以上のような排水部材９０は、下側底面６６Ｂに流れ込み、表面張力により滞留しようとする水の図示しない仮想滞留表面に接して設置されている。
【００６１】
以上のような構成を備える本実施形態の排水構造では、レール部材６５と下枠６４との間から内部空間６６Ｃに浸入し、下側底面６６Ｂに流れ込んだ水のうち、水自体の水圧では排水されず表面張力により下側底面６６Ｂに滞留しようとする水は、排水部材９０に案内されて排水口６６Ｄから排水される。そして、排水口６６Ｄから排水された水は、排水ドレン８を通って排水管に排水されることとなる。
【００６２】
このような本実施形態によれば、前述の（１）、（３）、（４）の効果と略同一の効果を得ることができる。
（１０）  すなわち、下枠６６の内部に浸入し、下側底面６６Ｂに流れ込んだ水が排水部材９０に引き寄せられ、排水口６６Ｄを通って排水ドレン８に排水されるので、バリアフリータイプの浴室において、下枠６６の内部底面に十分な排水勾配を設けることが困難な場合であっても、下枠６６に浸入した水が滞留することなく、この水を確実に排水し、下枠６６の内部を早く乾かすことができる。
【００６３】
なお、本発明は、前記実施形態に限定されるものではない。
例えば、前記実施形態では、浴室をユニット化されたものとしたが、これに限らず、在来工法で形成された浴室であってもよい。さらに、浴室には脱衣室が隣接し、この脱衣室から浴室に出入りするものに限らず、浴室出入口が居室や廊下に向かって開口するものでもよい。
また、浴室出入口１の形式について、前記第１、第２実施形態では片引戸形式とし、第３実施形態では三連引戸形式としたが、これに限らず、二枚引戸形式でもよく、また、折れ戸形式や開き戸形式の出入口でもよい。
【００６４】
また、前記実施形態では、排水部材４０，５０および案内部材４０Ａを合成樹脂製の一体成型部材としたが、これに限らず、アルミ等の金属製やゴム製、セラミックス製等でもよく、また、一体成型に限らず複数部材から組み立てられたものでもよい。
【００６５】
さらに、本発明の浴室出入口建具枠の排水構造では、前記実施形態で説明した排水部材４０，５０に限らず、以下に説明する排水部材８０，９０を採用できる。
図１７は、排水部材８０が設置された浴室出入口の要部を拡大して示す縦断面図であり、図１８（Ａ）、（Ｂ）は、排水部材８０を示す正面図、および底面図である。図１９は、排水部材９０が設置された浴室出入口の要部を拡大して示す縦断面図である。なお、図１８（Ａ）中、左側が排水部材８０の上面側となっている。
【００６６】
図１７、１８において、排水部材８０は、前述の第１実施形態の排水部材４０と比較して、見込み方向の長さ寸法が大きく、下枠２０の側壁２１から仕切板２３近傍に至る長さ寸法を有している。そして、排水部材８０は、平面略矩形板状の本体部８１と、この本体部８１の下面から下方に延出する第１、第２、および第３延出部８２，８３，８４から構成されている。第１〜第３延出部８２，８３，８４の下面は、浴室側に下がる方向に傾斜して形成されており、第１、第３延出部８２，８４の下部には、円弧状の切欠き部８２Ａ，８４Ａが４箇所ずつ設けられている。また、第１延出部８２の浴室側には、排水口２１Ａの側端縁に係合可能な楔形の係合フック８２Ｂが形成されている。このような排水部材８０は、下枠２０の内部側（踏込み部２５側）から係合フック８２Ｂを排水口２１Ａに挿通させて、取り付けられる。
【００６７】
以上のような構成を有する排水部材８０を採用することで、下枠２０の内部のより広い範囲から水を引き寄せて、排水口２１Ａから排水することができ、排水効率をさらに向上させることができる。
【００６８】
図１９において、排水部材５０Ａは、前述の第２実施形態の排水部材５０と略同様に形成されており、下枠２０の浴室側から側壁２１に取り付けられている。
ただし、排水部材５０Ａは、その一部が排水口２１Ａを通して下枠２０の内部に跨って設置されている点が、第２実施形態と相違している。
このような構成によれば、排水部材５０Ａを浴室側と下枠２０の内部とに跨って設置したことで、下枠２０の内部底面２２に滞留しようとする水の表面張力を壊して、より広い範囲から排水部材５０Ａに水を引き寄せることができ、一層効率的に排水できるという効果を奏する。さらに、第２実施形態と同様に、カバー材２６を取り外さなくても、浴室側から排水部材５０Ａの取り付け、または取り外しを実施でき、作業性が向上するという効果をも得ることができる。
【００６９】
また、前記実施形態では、溝２２Ａ，６４Ｅを下向きに凸な断面略半円形状に形成し、溝２２Ａ，６４Ｅ同士の間隔を略２．０ｍｍに設定したが、これに限らず、下枠の内部底面に形成する溝の形状やピッチを任意に設定できる。例えば、溝を断面Ｖ字形やＵ字形に形成してもよく、また、溝同士のピッチを２．０ｍｍ以下や、２．０ｍｍ〜５．０ｍｍの範囲としてもよい。
さらに、前記実施形態では、溝２２Ａ，６４Ｅを下枠２０，６４の内部底面２２，６４Ａのほぼ全面に形成したが、これに限らず、図２０、２１に基づいて以下に説明する範囲に限定して溝２２Ａ，６４Ｅを形成してもよい。
図２０、図２１は、本発明の変形例に係る浴室出入口の要部を拡大して示す縦断面図である。
【００７０】
図２０において、浴室出入口の構成は、前述の第１実施形態と略同一であり、下枠２０の内部底面２２における溝２２Ａの形成範囲が第１実施形態と相違している。すなわち、溝２２Ａは、内部底面２２のうち、図中符号Ａ１，Ａ２で示す平坦面に係る範囲のみに形成されており、符号Ｂ１，Ｂ２で示す傾斜面に係る範囲には形成されていない。具体的には、浴室側の側壁２１近傍、および仕切板２３の引戸案内部２４側の近傍に限った範囲のみに溝２２Ａが形成されている。
図２１において、浴室出入口の構成は、前述の第３実施形態と略同一であり、下枠６４の内部底面６４Ａにおける溝６４Ｅの形成範囲が第３実施形態と相違している。すなわち、溝６４Ｅは、内部底面６４Ａのうち、図中符号Ａ３で示す平坦面に係る範囲のみに形成されており、符号Ｂ３で示す傾斜面に係る範囲には形成されていない。具体的には、浴室側の側壁６４Ｂ近傍に限った範囲のみに溝６４Ｅが形成されている。
なお、ここで、平坦面Ａ１，Ａ２，Ａ３は、略水平となるように形成されているが、必ずしも水平面でなくてもよく、浴室側に向かって下がる傾斜（例えば、１〜２度の傾斜角度）を有して形成されてもよい。また、傾斜面Ｂ１，Ｂ２，Ｂ３は、浴室側に向かって水が流れる程度の傾斜（例えば、４〜５度の傾斜角度）を有して形成されている。
【００７１】
以上のような範囲に溝２２Ａ，６４Ｅを形成することで、傾斜面Ｂ１，Ｂ２，Ｂ３から平坦面Ａ１，Ａ２，Ａ３に流れてきた水が、平坦面Ａ１，Ａ２，Ａ３の溝２２Ａ，６４Ｅにより表面張力が壊されて、溝２２Ａ，６４Ｅに沿って案内され、排水部材４０または案内部材４０Ａにより引き寄せられる。従って、下枠２０，６４の内部に浸入した水をさらに効率よく排水することができる。また、傾斜面Ｂ１，Ｂ２，Ｂ３に溝を形成しないことで、傾斜面Ｂ１，Ｂ２，Ｂ３を流れる水に対する抵抗を低減できるとともに、溝中の残水も防止でき、下枠２０，６４の内部をより早く乾かすことができる。
【００７２】
また、前記第２実施形態では、排水部材５０における水の仮想滞留表面Ｓと接する部分にスポンジ５４が固定されていたが、このスポンジは本発明における必須要件ではなく、省略することができる。ただし、排水部材における水の仮想滞留表面と接する部分を吸水性の材料から形成することで、より強く水を引き寄せる効果が得られる。
【００７３】
【発明の効果】
以上に述べたように、本発明の浴室出入口建具枠の排水構造によれば、下枠の内部底面に十分な排水勾配が設けられていなくても、下枠に浸入した水を確実に排水することができるという効果がある。
【図面の簡単な説明】
【図１】本発明の第１実施形態に係る排水構造が設けられた浴室出入口を示す縦断面図である。
【図２】前記浴室出入口を示す横断面図である。
【図３】図１の要部を拡大して示す縦断面図である。
【図４】前記浴室出入口の建具枠の一部を拡大して示す斜視図である。
【図５】（Ａ），（Ｂ）は、前記実施形態の排水部材の設置状態を示す断面図である。
【図６】前記排水部材を示す上方からの斜視図である。
【図７】前記排水部材を示す下方からの斜視図である。
【図８】本発明の第２実施形態に係る排水構造が設けられた浴室出入口の要部を拡大して示す縦断面図である。
【図９】（Ａ），（Ｂ）は、前記実施形態の排水部材の設置状態を示す断面図である。
【図１０】（Ａ）〜（Ｃ）は、前記排水部材を示す正面図、側面図、および底面図である。
【図１１】本発明の第３実施形態に係る排水構造が設けられた浴室出入口を示す縦断面図である。
【図１２】前記浴室出入口を示す横断面図である。
【図１３】図１１の要部を拡大して示す縦断面図である。
【図１４】本発明の第４実施形態に係る排水構造が設けられた浴室出入口の要部を拡大して示す縦断面図である。
【図１５】前記浴室出入口の下枠の一部を拡大して示す平面図である。
【図１６】（Ａ）〜（Ｃ）は、前記実施形態の排水部材を示す正面図、底面図、および側面図である。
【図１７】本発明の変形例に係る排水部材が設置された浴室出入口の要部を拡大して示す縦断面図である。
【図１８】（Ａ），（Ｂ）は、前記変形例に係る排水部材を示す正面図、および底面図である。
【図１９】本発明の変形例に係る排水部材が設置された浴室出入口の要部を拡大して示す縦断面図である。
【図２０】本発明の変形例に係る浴室出入口の要部を拡大して示す縦断面図である。
【図２１】本発明の変形例に係る浴室出入口の要部を拡大して示す縦断面図である。
【符号の説明】
１…浴室出入口、８…排水ドレン、１０，６０…建具枠、１４…戸袋部、２０，６４，６６…下枠、２１、６４Ｂ…側壁、２１Ａ，６４Ｄ，６６Ｄ…排水口、２２，６４Ａ…内部底面、２２Ａ，６４Ｅ，６６Ｅ…溝、２３…仕切板、２３Ｂ…連通孔、２４…引戸案内部、２５…踏込み部、３０…引戸、４０，５０，５０Ａ，８０，９０…排水部材、４０Ａ…案内部材、４１Ａ…表面積拡大手段である孔、５４…スポンジ、Ｓ…仮想滞留表面。
【図１】
2004257183.tif 000003
【図２】
2004257183.tif 000004
【図３】
2004257183.tif 000005
【図４】
2004257183.tif 000006
【図５】
2004257183.tif 000007
【図６】
2004257183.tif 000008
【図７】
2004257183.tif 000009
【図８】
2004257183.tif 000010
【図９】
2004257183.tif 000011
【図１０】
2004257183.tif 000012
【図１１】
2004257183.tif 000013
【図１２】
2004257183.tif 000014
【図１３】
2004257183.tif 000015
【図１４】
2004257183.tif 000016
【図１５】
2004257183.tif 000017
【図１６】
2004257183.tif 000018
【図１７】
2004257183.tif 000019
【図１８】
2004257183.tif 000020
【図１９】
2004257183.tif 000021
【図２０】
2004257183.tif 000022
【図２１】
2004257183.tif 000023